(57)【要約】【課題】本発明にあっては、粗いムラと細かいムラが混在した周期性の乏しいムラであっても、定量的にムラの度合いを測定することが可能なムラ測定方法を提供することを課題とする。【解決手段】固体撮像素子を備える撮像装置によって前記物体を撮像するステップと、前記固体撮像素子により撮像された前記物体の画像に対し多重解像度解析をおこなうことにより画像を周波数毎の成分に分解するステップと、前記周波数毎に分解された成分に視覚系の周波数毎の感度を掛け合わせるステップとを備えることを特徴とする物体のムラ測定方法とした。また、前記固体撮像素子を備える撮像装置によって前記物体を撮像するステップにおいて、前記物体を照射する照明光が物体表面で正反射する方向から物体を撮像することを特徴とする測定方法とした。【選択図】図１
2009229391.tif 000002
【特許請求の範囲】
【請求項１】
物体のムラ測定方法であって、
固体撮像素子を備える撮像装置によって前記物体を撮像するステップと、
前記固体撮像素子により撮像された前記物体の画像に対し多重解像度解析をおこなうことにより画像を周波数毎の成分に分解するステップと、
前記周波数毎に分解された成分に視覚系の周波数毎の感度を掛け合わせるステップと
を備えることを特徴とする物体のムラ測定方法。
【請求項２】
前記固体撮像素子を備える撮像装置によって前記物体を撮像するステップにおいて、前記物体を照射する照明光が物体表面で正反射する方向から物体を撮像することを特徴とする請求項１記載の物体のムラ測定方法。
【請求項３】
基材フィルム上にバインダマトリックス中に粒子を分散してなる防眩層を備える防眩フィルムのムラ測定方法であって、
固体撮像素子を備える撮像装置によって前記防眩フィルムを撮像するステップと、
前記固体撮像素子により撮像された前記防眩フィルムの画像から輝度信号を取り出し、取り出した輝度信号に対し多重解像度解析をおこなうことにより輝度信号からなる画像を周波数毎に分解された成分に変換するステップと、
前記周波数毎に分解された成分に視覚系の周波数毎の感度を掛け合わせるステップと
を備えることを特徴とする防眩フィルムのムラ測定方法。
【請求項４】
前記固体撮像素子を備える撮像装置によって前記物体を撮像するステップにおいて、前記物体を照射する照明光が物体表面で正反射する方向から物体を撮像することを特徴とする請求項３記載の防眩フィルムのムラ測定方法。
【発明の詳細な説明】
【技術分野】
【０００１】
本発明は、人間の目で確認される物体のムラ測定方法に関し、特に、液晶表示ディスプレイ等の表示装置表面に設けられる防眩フィルムのムラ測定方法に関する。
【背景技術】
【０００２】
液晶ディスプレイ等の表示装置にあっては表面に外光の映りこみを防止するために表面に凹凸を備える防眩層を備える防眩フィルムが設けられる。このとき、防眩層はバインダマトリックス中に粒子を分散させることにより形成される。また、液晶ディスプレイにあっては、光を集光、拡散させるためにバインダマトリックス中に粒子を分散させた光拡散フィルムが用いられている。このような防眩フィルムや光拡散フィルムにあってはムラが無いことが要求される。
【０００３】
光拡散フィルム、防眩フィルム表面のムラの度合いを検査する場合にあっては目視によっておこなわれているが、ムラの度合いの判別を安定しておこなうには相応の訓練が必要であり、個人差も生じやすい。
【０００４】
そこで、このようなムラを数値化することが提案されている。
【０００５】
【特許文献１】特開２００８−２０２３５号公報
【発明の開示】
【発明が解決しようとする課題】
【０００６】
例えば、単一の大きさのムラを数値化するにあっては、ムラを撮像し得られた画像の画素ごとの輝度の標準偏差や分散を調べることにより、ムラの数値化をおこなうことが可能である。しかしながら、粗いムラと細かいムラが混在している周期性の乏しいムラを数値化する場合にあっては、単に輝度のムラを調べるだけでは視覚で感じることのできない細かいムラの影響が強く出てしまい、視覚で感じられるムラに対応した数値が求められない。
【０００７】
また、ムラを撮像し得られた画像の画素ごとの値の平方和からムラを求めた場合、本来のムラとは関係のない固体撮像素子のノイズの影響が強く出る場合や、照明光のムラ等の影響が出る場合もあり、ムラの成分を取り出すのが困難となってしまうことがある。
【０００８】
また、ムラを撮像し得られた画像に対しフーリエ変換による周波数解析をおこなった場合には、一定の周期を有するパターンであれば効率よく解析がおこなうことができる。しかしながら、基材フィルム上にバインダマトリックス中に粒子を分散してなる防眩層を備える防眩フィルムで生じるような粗いムラと細かいムラが混在した周期性の乏しい雲状のムラの場合には、フーリエ変換による周波数解析でムラを数値化することは困難であった。また、フーリエ変換による周波数解析では、画像サイズが増えると解析時間が膨大になるという問題点もある。
【０００９】
そこで、本発明にあっては、粗いムラと細かいムラが混在した周期性の乏しいムラであっても、定量的にムラの度合いを測定することが可能なムラ測定方法を提供することを課題とする。
【課題を解決するための手段】
【００１０】
上記課題を解決するために請求項１に係る発明としては、物体のムラ測定方法であって、固体撮像素子を備える撮像装置によって前記物体を撮像するステップと、前記固体撮像素子により撮像された前記物体の画像に対し多重解像度解析をおこなうことにより画像を周波数毎の成分に分解するステップと、前記周波数毎に分解された成分に視覚系の周波数毎の感度を掛け合わせるステップとを備えることを特徴とする物体のムラ測定方法とした。
【００１１】
また、請求項２に係る発明としては、前記固体撮像素子を備える撮像装置によって前記物体を撮像するステップにおいて、前記物体を照射する照明光が物体表面で正反射する方向から物体を撮像することを特徴とする請求項１記載の物体のムラ測定方法とした。
【００１２】
また、請求項３に係る発明としては、基材フィルム上にバインダマトリックス中に粒子を分散してなる防眩層を備える防眩フィルムのムラ測定方法であって、固体撮像素子を備える撮像装置によって前記防眩フィルムを撮像するステップと、前記固体撮像素子により撮像された前記防眩フィルムの画像から輝度信号を取り出し、取り出した輝度信号に対し多重解像度解析をおこなうことにより輝度信号からなる画像を周波数毎に分解された成分に変換するステップと、前記周波数毎に分解された成分に視覚系の周波数毎の感度を掛け合わせるステップとを備えることを特徴とする防眩フィルムのムラ測定方法とした。
【００１３】
また、請求項４に係る発明としては、前記固体撮像素子を備える撮像装置によって前記物体を撮像するステップにおいて、前記物体を照射する照明光が物体表面で正反射する方向から物体を撮像することを特徴とする請求項３記載の防眩フィルムのムラ測定方法とした。
【発明の効果】
【００１４】
上記構成のムラ測定方法を用いることにより、粗いムラと細かいムラが混在した周期性の乏しいムラであっても視覚に応じたムラの度合いの数値化が可能となり、定量的にムラの度合いを測定することができた。
【発明を実施するための最良の形態】
【００１５】
本発明のムラ測定によってムラが測定される物体について説明する。
【００１６】
本発明のムラ測定方法によってムラが測定される物体としては、例えば、バインダマトリックス中に粒子を分散してなる防眩フィルムを挙げることができる。図１に本発明の防眩フィルムの説明断面図を示した。防眩フィルム１にあっては、基材フィルム１１上にバインダマトリックス１２Ａ中に粒子１２Ｂを分散してなる防眩層１２を備える。防眩フィルム１にあっては、表面が凹凸を備えることにより防眩層に入射する光を散乱させ防眩性を付与している。また、必要に応じて、バインダマトリックスと粒子の屈折率差による内部散乱により防眩性は付与される。
【００１７】
本発明の防眩フィルムの防眩層は、バインダマトリックス形成材料と粒子を含む防眩層形成用塗液を用い湿式成膜法により形成される。このとき、粒子の凝集等により粒子のバインダマトリックス中での分散状態が変化し、粗いムラと細かいムラが混在した周期性の乏しい雲状のムラが確認される。本発明のムラ測定方法は、このような雲状のムラに対して好適に用いることができる。防眩フィルムは、液晶ディスプレイ（ＬＣＤ）、ＣＲＴディスプレイ、有機エレクトロルミネッセンスディスプレイ（ＥＬＤ）、プラズマディスプレイ（ＰＤＰ）、表面電界ディスプレイ（ＳＥＤ）、フィールドエミッションディスプレイ（ＦＥＤ）などの表示装置の最表面に設けられるため高いレベルでムラが無いことが要求され、本発明のムラ測定方法を好適に用いることができる。
【００１８】
また、本発明のムラ測定方法によってムラが測定される物体としては、防眩フィルムのほかにも、光拡散板、光拡散フィルム、光拡散シート等のバインダマトリックス中に粒子が分散された構造を含む物体を例示することができるが、これらに限定されるものではない。
【００１９】
本発明の防眩フィルムにあっては、基材フィルムとしては、公知のプラスチックフィルムを用いることができ、また、防眩層形成用塗液におけるバインダマトリックス形成材料としては公知の電離放射線硬化型樹脂を用いることができ、また、粒子は公知の有機系粒子、無機系粒子を用いることができる。また、バインダマトリックス形成材料として、電離放射線硬化型樹脂を用いた場合には、バインダマトリックス形成材料と粒子を含む防眩層形成用塗液を用い湿式成膜法により塗布する塗布工程の後に、紫外線照射工程または電子線照射工程が設けられる。本発明の防眩フィルムの防眩層にあっては、バインダマトリックス及び粒子以外の材料、例えば、光重合開始剤、表面調整剤、防汚剤、帯電防止剤等を含んでいても構わない。また、本発明の防眩フィルムにあっては、防眩層のほかに反射防止層、帯電防止層、紫外線吸収層、防汚層といった他の機能層を備えていても良い。
【００２０】
本発明のムラ測定方法について説明する。
【００２１】
本発明のムラ測定方法にあっては、固体撮像素子を備える撮像装置によって物体を撮像するステップと、前記固体撮像素子により撮像された前記物体の画像に対し多重解像度解析をおこなうことにより周波数毎に分解された成分に変換するステップと、前記周波数毎に分解された成分に視覚系の周波数毎の感度を掛け合わせるステップを備えることを特徴とする。
【００２２】
本発明のムラ測定方法にあっては、まず、固体撮像素子を備える撮像装置によって物体が撮像される。
【００２３】
図２に、固体撮像素子を備える撮像装置によって前記物体を撮像するステップの模式図を示した。本発明にあっては、照明光２１によって物体２２は照射され、照明光２１によって照射された物体２２は、固体撮像素子を備える撮像装置２４によって撮影される。物体に照射される照射光の拡がりは、集光レンズ２５によって物体２２で正反射された光が撮像装置２４に集光されることが好ましい。これによって物体２２によって正反射される光が撮像装置２４に物体中央、周辺でも同様に入射する。図２にあっては、照明光２１の拡がりを抑えるため、フィルター２３が用いられている。フィルター２３としては、拡散板とマスクの組み合わせを例示することができる。
【００２４】
本発明にあっては、固体撮像素子を備える撮像装置によって物体（ムラ）は撮像される。固体撮像素子を備える撮像素子としては、一般に市販されているデジタルカメラを用いることができる。物体を撮像するにあっては、一度フィルムに像を定着させた後コンピュータに取り込むことも考えられる。しかしながら、固体撮像素子を使うことによって取り込みが容易となり、さらにリアルタイムでの処理も可能となること、また、固体撮像素子は銀塩フィルムと比べ、サイズが小さいため焦点深度が深いことから、本発明のムラ測定方法にあっては固体撮像素子を備える撮像装置を用いる。
【００２５】
また、物体２２と撮像装置２４の距離は物体の用途によって適宜選択される。さらには、物体２２と撮像装置２４の距離は観察距離とデジタルカメラの倍率から適宜設定される。例えば、防眩フィルムにおいて、携帯電話用ディスプレイ用途では観察距離を１０〜３０ｃｍ、特に２０ｃｍ程度として、物体２２と撮像装置２４の距離が設定されるのが好ましい。また、モニター用、カーナビ用ディスプレイ用途では観察距離を２０ｃｍ〜５０ｃｍにするのがよく、より望ましくは３０ｃｍ程度として、物体２２と撮像装置２４の距離を設定するのが好ましい。またテレビ用途では観察距離を１ｍ〜２．５ｍ、特に１．５ｍとして物体２２と撮像装置２４の距離を設定するのが好ましい。観察者にとってどの程度のムラが認知されるかは、観察距離に依存する。
【００２６】
なお、本発明にあっては、固体撮像素子を備える撮像装置によって前記物体を撮像するステップにおいて、物体を照射する照明光が物体表面で正反射する方向から物体を撮像することが好ましい。このようにして、物体表面を撮影することによりムラを強く観察することができ、ムラの測定の精度を向上させることができる。
【００２７】
本発明のムラ測定方法にあっては、次に、固体撮像素子を備える撮像装置によって撮像された物体の画像に対し多重解像度解析をおこなうことにより、物体の画像信号は周波数毎に分解された成分に変換される。
【００２８】
通常ムラは、周期性に乏しくそのサイズ等に特徴的な規則性を有しており、どのようなサイズのムラがどの程度あるかということを解析することが重要となる。そのムラを抽出するのに、フーリエ解析では周期性が乏しいため適してない。本発明者らは離散ウェーブレット変換を用いた多重解像度解析を用いることが適していることを見出した。
【００２９】
最初の離散ウェーブレット変換は、ハンガリーの数学者Ａｌｆｒｅｄ  Ｈａａｒによって示された。これは、２ｎの長さを持つ数列が入力されると、隣接した値の差分と和を求めるものである。この処理は再帰的に行われ、和の数列は次の処理の入力となる。最終的には、２ｎ−１の差分値と一つの和の値を得る。この単純な離散ウェーブレット変換は、ウェーブレットの一般的な特性を示している。離散ウェーブレット変換の計算量はＯ（ｎ）である。また、この変換は、時間及び周波数の両方の特性をつかむことができる。これら２つの特徴は、ＦＦＴと比較した場合の離散ウェーブレット変換の大きな特徴である。
【００３０】
ウェーブレット変換を用いた多重解像度解析は、計算時間がフーリエ変換による解析と比較して少なく、且つ、解析する面全体だけではなく局在したムラも検出することが可能となるため、部分的に強いムラがあった場合でも、検出できるため、フーリエ変換を用いた解析よりも、適している。
【００３１】
一般的な離散ウェーブレット変換は、ベルギーの数学者Ｉｎｇｒｉｄ  Ｄａｕｂｅｃｈｉｅｓによって１９８８に証明された。この証明では、解像度が以前のスケールの２倍となっていく漸化式によって、もっとも密にサンプリングされたマザーウェーブレットを生成している。彼女の講義資料には、Ｄａｕｂｅｃｈｉｅｓ  ｗａｖｅｌｅｔと呼ばれるウェーブレットファミリーが提供されており、その中の最初のウェーブレットはＨａａｒウェーブレットである。このあと、これをベースとした多くのウェーブレットが開発された。
【００３２】
離散ウェーブレット変換の別の表現としては、Ｓｔａｔｉｏｎａｒｙウェーブレット変換（ダウンサンプリングが無い離散ウェーブレット変換）があり、また、関連した変換としては、ウェーブレットパケットや複素数離散ウェーブレット変換があり、本発明の多重解像度解析としてこれらを用いることもできる。
【００３３】
離散ウェーブレット変換としては、高度なものを用いれば、波数分離の精度を向上させることができる。ただし、本発明のムラ測定方法で用いられる離散ウェーブレット変換としてはもっとも単純なＨａａｒの離散ウェーブレット変換で十分である。また、ムラの強度の取り方としては、周波数毎に分解された画像の各画素の値の２乗の平均値を用いることができる。また、局在したムラが存在する場合などは、各階層での分解したムラの強度をそのまま解析することも多重解像度解析であれば可能となる。
【００３４】
図３及び図４に一次元のＨａａｒの離散ウェーブレット変換の説明図を示した。図３に示したように、元の信号（Ｘ）は、ＬＯＷパスフィルター（ｇ）を２点毎に、ずらしながら、掛け合わせて得られた係数より、データ量が半分の低周波成分の信号（Ｌ）とすることができる。また、同様に、元の信号（Ｘ）にＨＩＧＨパスフィルター（ｈ）を２点毎に、ずらしながら、掛け合わせて得られた係数より、データ量が半分の高周波成分の信号（Ｈ）を抽出することができる。すなわち、高周波成分の信号（Ｈ）と低周波成分の信号（Ｌ）を抽出することができる。
【００３５】
さらに同様に、図４に示したように、データ量が半分の低周波成分の信号（Ｌ）に対しＬＯＷパスフィルター（ｇ）を掛け合わせることにより、データ量が半分の低周波成分の信号（ＬＬ）とすることができる。低周波成分の信号（ＬＬ）は、元の信号に対してデータ量が１／４の高周波成分の信号となる。また、データ量が半分の低周波成分の信号（Ｌ）に対しＨＩＧＨパスフィルター（ｈ）を掛け合わせることにより、データ量が半分の高周波成分の信号（ＬＨ）を抽出することができる。高周波成分の信号（ＬＨ）は、元の信号に対してデータ量が１／４の高周波成分の信号となる。このような多段階の処理を進めていくことによって、信号を周波数成分に分解していくことができる。なお、処理の段数は、信号の長さが２のｎ乗の際にはｎ段階となる。この処理は信号の長さが２のｎ乗でない場合もおこなえるが、信号の長さが２のｎ乗であるほうが扱い易く好ましい。
【００３６】
以上の操作を、固体撮像素子を備える撮像装置によって撮像された物体の二次元の画像に対しておこなうことにより周波数毎に分解された成分された画像を得ることができる。
【００３７】
二次元の画像では各周波数に分離された成分は、一次元を二次元に場合にそのまま拡張し、それぞれ、Ｘ方向、Ｙ方向の画素数がそれぞれ半分となりデータ量が１／４のＸ軸方向の高周波成分及びＹ軸方向の高周波成分の信号（Ｈ，Ｈ）、Ｘ軸方向の高周波成分及びＹ軸方向の低周波成分の信号（Ｈ，Ｌ）、Ｘ軸方向の低周波成分及びＹ軸方向の高周波成分の信号（Ｌ，Ｈ）、Ｘ軸方向の低周波成分及びＹ軸方向の低周波成分の信号（Ｌ，Ｌ）に分解できる。
【００３８】
さらに、データ量が１／４のＸ軸方向の低周波成分及びＹ軸方向の低周波成分の信号（Ｌ，Ｌ）はさらに、データ量が元の画像に対して、１／１６のＸ軸方向の高周波成分及びＹ軸方向の高周波成分の信号（ＬＨ，ＬＨ）、Ｘ軸方向の高周波成分及びＹ軸方向の低周波成分の信号（ＬＨ，ＬＬ）、Ｘ軸方向の低周波成分及びＹ軸方向の高周波成分の信号（ＬＬ，ＬＨ）、Ｘ軸方向の低周波成分及びＹ軸方向の低周波成分の信号（ＬＬ，ＬＬ）に分解できる。
【００３９】
一次元と同様に、このような多段階の処理を進めていくことによって信号を周波数成分に分解していくことができる。なお、処理の段数は、各軸の信号の長さが同じで２のｎ乗の際にはｎ段階となる。またこの処理は、各軸の信号の長さが異なり２のｎ乗でない場合もおこなえるが、各軸の信号の長さが２のｎ乗であるほうが扱い易く好ましい。
【００４０】
防眩フィルム等でのムラは、粒子の偏在に依存すると考えられる輝度のムラが主に見られるので画像の中から輝度信号を取り出して、上記の処理をおこなう。輝度信号には、２．２〜２．６乗程度のガンマがかかっているため輝度そのものではないが、スペクトルデータを算出する際に、２乗を取るのでスペクトルデータとしては輝度の情報に近いものが得られる。
【００４１】
撮像された画像に対し、各画素のＲ、Ｇ、Ｂ値のから輝度信号の値Ｙを算出することにより輝度信号を取り出すことができる。輝度信号の値Ｙは、各画素のＲ、Ｇ、Ｂ値をそれぞれＲ、Ｇ、ＢとしたときにそれらがＩＴＵ−Ｒ  ＢＴ．６０１−５に準拠したものであれば、輝度信号の値Ｙは以下の式で求められる。
Ｙ＝０．２９９００×Ｒ＋０．５８７００×Ｇ＋０．１１４００×Ｂ
【００４２】
また、ＩＴＵ−Ｒ  ＢＴ．７０９に準拠したものであれば、輝度信号の値Ｙは以下の式で求められる。
Ｙ＝０．２１２６×Ｒ＋０．７１５２×Ｇ＋０．０７２２×Ｂ
【００４３】
なお、上記の変換では、ＮＴＳＣ、ｓＲＧＢ、ａｄｏｂｅＲＧＢで用いられるガンマ値２．２が想定されているが、他のＰＡＬやａｐｐｌｅＲＧＢの規格で用いられるガンマ２．８や１．８でも同様の変換を用いることができる。
【００４４】
また、ムラを測定する防眩フィルムの色のムラが少ない場合であれば、単純にＧの値を輝度信号の値Ｙとして用いても良い。
【００４５】
このようにして得られたそれぞれの周波数成分の信号の２乗の平均を算出することによって、その周波数での強度を求めることができる。このとき、２乗の平均ではなく、２．２乗等のガンマの係数を用いることもできるが、実用上は、計算スピードや負のデータの処理等を考慮すると２乗を算出するので十分であると考えられる。この強度を縦軸とし、横軸を周波数としてプロットすることにより、周波数に対するムラの強度のスペクトルデータを得ることができる。
【００４６】
本発明のムラ測定方法にあっては、次に、前記スペクトルデータに視覚系の周波数毎の感度が掛け合わされる。
【００４７】
人間の目は、空間周波数に依存する特性を有することが知られている。この視覚特性は単一の機構に由来するのではなく、複数のバンドパス型チャネルによって構成されることがわかっている。各々のチャネルはバンド幅が等しく中心周波数が異なる。チャネルは画像中の空間周波数成分の検出をしているとみなせることから、これらのチャネルを空間周波数チャネルとよぶ。空間周波数は視野ごとに存在すると考えられている。
【００４８】
これらの結果、人間の視覚系が感知する周波数毎の感度は、周波数依存性が強く、特定の周波数に強く反応するバンドパスフィルターのようになっている。この周波数毎の感度の特性を示すものとしては、様々なものがあるが、代表的なものとして、文献：樋渡、渡部、長田：視覚の正弦波レスポンス、ＮＨＫ放送技術研究所  Ｖｏｌ  １６，  Ｎｏ．１．ｐ．３８〜（１９６４）にあるようなものが挙げられる。図５に、空間周波数に対する視覚系の周波数毎の感度曲線を示す。これによれば、３（ＣＰＤ：ｃｙｃｌｅ  ｐｅｒ  ｄｅｇｒｅｅ）が、もっとも感度が高く、１０（ＣＰＤ：ｃｙｃｌｅ  ｐｅｒ  ｄｅｇｒｅｅ）では、感度が１０分の１になる。また、０．３（ＣＰＤ：ｃｙｃｌｅ  ｐｅｒ  ｄｅｇｒｅｅ）でも、感度が１０分の１になり、視覚特性にあった特徴的な周波数を通す帯域通過型フィルターの特性を示す。
【００４９】
ムラを感知するレベルに関しても、画面全体にわたるようなムラや、非常に微細なムラは、気にかかりづらいことから、このバンドバスフィルターのような視覚特性に強く影響される。本発明者らは、周波数毎に分解された信号強度に視覚系の周波数毎の感度が掛け合わせることにより、視覚に応じたムラの度合いの数値化を可能とすることができた。
【００５０】
図６に本発明の防眩フィルムのムラ測定方法のチャート図を示した。本発明の防眩フィルムのムラ測定方法にあっては、固体撮像素子を備える撮像装置によって防眩フィルムを撮像するステップ、ムラを撮像した画像から輝度信号を取り出すステップ、得られた輝度信号にウェーブレット変換による多重解像度解析をおこない周波数毎に分解された信号を得るステップ、各周波数成分の信号毎に２乗の平均を取り各周波数毎の信号強度を取得するステップ、各周波数毎の信号強度に視覚感度曲線を掛け合わせるステップにより、視覚感度校正された各周波数に対する信号強度を示したスペクトルを得ることができる。
【実施例】
【００５１】
基材フィルムとしてトリアセチルセルロースフィルムを用いた。一方、アクリル系の紫外線硬化型樹脂とシリカ粒子を酢酸エチルとメチルエチルケトンの混合溶媒に分散させた防眩層形成用塗液を用意した。用意した防眩層形成用塗液をダイコート法によりトリアセチルセルロースフィルム上に塗布し、乾燥後、紫外線照射をおこない、トリアセチルフィルム上に防眩層を備える防眩フィルムを作成した。このとき、防眩層形成用塗液としてシリカ粒子と紫外線硬化樹脂の割合が異なる２種類の防眩層形成用塗液を用い、２種類の防眩フィルムを作成した。それぞれを、防眩フィルムＡ、防眩フィルムＢとする。
【００５２】
防眩フィルムＡ及びＢを５ｃｍｘ７ｃｍに３枚ずつ切り出し、防眩層形成面と反対側の面を黒色スプレーで塗布した。裏面が黒色に塗布された防眩フィルムＡ及びＢを平板にシワのないように貼り合わせて、ハロゲンランプにて防眩フィルム面内が略均一な明るさになるように照明し、ハロゲンランプの入射方向に対し正反射方向から３０ｃｍはなれた箇所で撮影をおこなった。
【００５３】
撮影にあっては、デジタルカメラ（松下電器  製  ＤＭＣ−ＦＸ９）を用い、以下の条件で防眩フィルムの撮影をおこなった。
＜撮影条件＞
ホワイトバランス：ＡＵＴＯ
ＩＳＯ感度：８０
アスペクト設定：４：３
記録画素：６Ｍ
撮影モード：ＡＦモード
ＡＦ補助光：ＯＮ
デジタルズーム：ＯＦＦ
光学ズーム：３倍
【００５４】
次に、コンピュータに撮影された画像を取り込み、各画素のＧの値により輝度信号を抽出し、Ｈａａｒのウェーブレットにより離散ウェーブレットにより多重解像度解析をおこなった。
【００５５】
図７に防眩フィルムＡについてデジタルカメラで撮像した画像から輝度信号を抽出した画像を示した。図８に防眩フィルムＡの多重解像度解析結果を示した。図８（ａ）は防眩フィルムＡの多重解像度解析結果であり、図８（ｂ）は図８（ａ）の防眩フィルムＡの多重解像度解析結果の説明図であり、図８（ａ）の画像と対応する周波数成分を表している。図９に防眩フィルムＡ及びＢの多重解像度解析結果（スペクトル）を示した。図９は、図８で得られた各周波数成分の信号ごとに２乗の平均を取り、各周波数成分ごとの信号強度を求めてスペクトルとしたものである。また、図１０に各ピッチに対する周波数毎の感度曲線を示した。図１０の周波数毎の感度曲線は、図５の空間周波数に対する周波数毎の曲線の横軸を、空間周波数からピッチに変更したものである。
【００５６】
そして、図９の防眩フィルムＡ及びＢの多重解像度解析結果（スペクトル）に図１０の周波数毎の感度曲線を掛け合わせた。図１１に防眩フィルムＡ及びＢの多重解像度解析結果に周波数毎の感度曲線を掛け合わせた多重解析結果（感度換算／スペクトル）を示す。
【００５７】
図１１において防眩フィルムＡと防眩フィルムＢの多重解析結果は、同一サンプル間でほぼ同じであり、再現よくムラが測定されていることが確認された。また、図１１において防眩フィルムＡと防眩フィルムＢの多重解析結果を比較すると防眩フィルムＢの方が防眩フィルムＡと比較して、ムラの度合いが大きいことが確認された。
【００５８】
作製された防眩フィルムＡ及びＢの防眩層形成面を、蛍光灯の備えた部屋で目視で約３０ｃｍの距離から観察したところ、防眩フィルムＢの方が防眩フィルムＡと比較してムラの度合いが大きい様子が確認され、本発明のムラの測定方法の結果と一致することが確認された。
【図面の簡単な説明】
【００５９】
【図１】図１は本発明の防眩フィルムの説明断面図である。
【図２】図２は固体撮像素子を備える撮像装置によって前記物体を撮像するステップの模式図である。
【図３】図３は一次元のＨａａｒの離散ウェーブレット変換の説明図である。
【図４】図４は一次元のＨａａｒの離散ウェーブレット変換の説明図である。
【図５】図５は空間周波数に対する視覚系の周波数毎の感度曲線である。
【図６】図６は本発明の防眩フィルムのムラ測定方法のチャート図を示した。
【図７】図７は（実施例）の防眩フィルムＡの輝度信号を抽出した画像である。
【図８】図８は（実施例）の防眩フィルムＡの多重解像度解析結果である。
【図９】図９は（実施例）における多重解像度解析結果（スペクトル）である。
【図１０】図１０は（実施例）における各ピッチに対する周波数毎の感度曲線である。
【図１１】図１１は（実施例）における防眩フィルムＡ及びＢの多重解像度解析結果に周波数毎の感度曲線を掛け合わせた多重解析結果（感度換算／スペクトル）である。
【符号の説明】
【００６０】
１      防眩フィルム
１１    基材フィルム
１２    防眩層
１２Ａ    バインダマトリックス
１２Ｂ    粒子
２１    照明光
２２    物体
２３    フィルター
２４    撮像装置
【図１】
2009229391.tif 000003
【図３】
2009229391.tif 000004
【図４】
2009229391.tif 000005
【図５】
2009229391.tif 000006
【図６】
2009229391.tif 000007
【図９】
2009229391.tif 000008
【図１０】
2009229391.tif 000009
【図１１】
2009229391.tif 000010
【図２】
2009229391.tif 000011
【図７】
2009229391.tif 000012
【図８】
2009229391.tif 000013